(57)【要約】【課題】前側部品と裏側部品との相互間での取付位置の正確さを図る。【解決手段】前側部品２５の位置決め突起７５が板状構造体４の前側から位置決め孔４１に挿入され、前側部品２５の取付部７６が板状構造体４の前側から逃部４２に挿入され、前側部品２５における取付基盤７３の裏面が板状構造体４における逃部４２の周りの前面に接触し、裏側部品９０の前面１０２が板状構造体４の裏面に接触し、止ねじ１０１が裏側部品９０の裏側からねじ挿入孔９８を経由して前側部品２５の取付部７６に締結されることによって、前側部品２５と裏側部品９０とが板状構造体４を前後方向から挟み、前側部品２５と裏側部品９０とが板状構造体４に取り付けられている。【選択図】図１
2005329231.tif 000002
【特許請求の範囲】
【請求項１】
板状構造体と、板状構造体の前面に設けられた位置決め部と、板状構造体に前後方向に貫通して設けられた逃孔と、板状構造体の前面に配置される前側部品と、前側部品の裏面に設けられた位置決め部と、前側部品の裏面に設けられた取付部と、板状構造体の裏面に配置される裏側部品と、裏側部品に設けられた取付部とを備え、板状構造体の位置決め部と前側部品の位置決め部とが互いに嵌め込まれ、前側部品の取付部と裏側部品の取付部とが互いに板状構造体の逃孔を経由して対向して固定具で裏側部品の裏側から結合されたことによって、前側部品と裏側部品とが板状構造体に取り付けられたことを特徴とするパチンコ機の遊技盤。
【請求項２】
板状構造体と、板状構造体の前面に設けられた位置決め部と、板状構造体の前面に配置される前側部品と、前側部品の裏面に設けられた位置決め部と、前側部品の位置決め部に設けられた取付部と、板状構造体の裏面に配置される裏側部品と、裏側部品に設けられた取付部とを備え、板状構造体の位置決め部と前側部品の位置決め部とが互いに嵌め込まれ、前側部品の取付部と裏側部品の取付部とが互いに板状構造体の位置決め部を経由して対向して固定具で裏側部品の裏側から結合されたことによって、前側部品と裏側部品とが板状構造体に取り付けられたことを特徴とするパチンコ機の遊技盤。
【発明の詳細な説明】
【技術分野】
【０００１】
本発明は、板状構造体の前面に配置される前側部品と板状構造体の裏面に配置される裏側部品との相互間での取付位置が正確なパチンコ機の遊技盤に関する。
【背景技術】
【０００２】
パチンコ機遊技盤は、板状構造体の前面に、入賞部品、サイドランプ、センター飾り、盤面飾りなどの前側部品が配置され、板状構造体の裏面に、集合樋、部品取付体などの裏側部品が配置される。しかしながら、前側部品は、板状構造体の前側から止ねじで板状構造体に取り付けられ、裏側部品は、板状構造体の裏側から止ねじで板状構造体に取り付けられる構造であるので、前側部品と裏側部品との相互間で取付位置がずれてしまうという欠点がある。
【特許文献１】実公平６−４２７１０号公報
【発明の開示】
【発明が解決しようとする課題】
【０００３】
発明が解決しようとする問題点は、前側部品の取付位置と裏側部品の取付位置とが互いに整合されていないという点である。
【課題を解決するための手段】
【０００４】
本発明に係るパチンコ機の遊技盤は、板状構造体と、板状構造体の前面に設けられた位置決め部と、板状構造体に前後方向に貫通して設けられた逃孔と、板状構造体の前面に配置される前側部品と、前側部品の裏面に設けられた位置決め部と、前側部品の裏面に設けられた取付部と、板状構造体の裏面に配置される裏側部品と、裏側部品に設けられた取付部とを備え、板状構造体の位置決め部と前側部品の位置決め部とが互いに嵌め込まれ、前側部品の取付部と裏側部品の取付部とが互いに板状構造体の逃孔を経由して対向して固定具で裏側部品の裏側から結合されたことによって、前側部品と裏側部品とが板状構造体に取り付けられたか、または、板状構造体と、板状構造体の前面に設けられた位置決め部と、板状構造体の前面に配置される前側部品と、前側部品の裏面に設けられた位置決め部と、前側部品の位置決め部に設けられた取付部と、板状構造体の裏面に配置される裏側部品と、裏側部品に設けられた取付部とを備え、板状構造体の位置決め部と前側部品の位置決め部とが互いに嵌め込まれ、前側部品の取付部と裏側部品の取付部とが互いに板状構造体の位置決め部を経由して対向して固定具で裏側部品の裏側から結合されたことによって、前側部品と裏側部品とが板状構造体に取り付けられたことを最も主要な特徴とする。
【発明の効果】
【０００５】
本発明に係るパチンコ機の遊技盤は、前側部品が位置決め部と位置決め部との嵌め合いによって板状構造体に位置決めされ、この板状構造体に位置決めされた前側部品の取付部と裏側部品の取付部とが裏部品の裏側から固定具で互いに結合されたことによって、前側部品と裏側部品とが板状構造体に取り付けられるので、板状構造体の前面に配置される前側部品と板状構造体の裏面に配置される裏側部品との相互間での取付位置が正確になるという利点がある。しかも、前側部品と裏側部品との２つの部品が裏部品の裏側から固定具で互いに結合されるので、前側部品と裏側部品との２つの部品を別々の固定具で板状構造体に取り付けるよりも、固定具の締結作業を減らすことができるという利点がある。
【発明を実施するための最良の形態】
【０００６】
図１乃至図７は、発明を実施するための最良の形態である。図１は、遊技盤１の前側部品と裏側部品との取り付けられた構造の断面を示す。図２は、周辺飾り構造体２と板状構造体４とを分解して前側から示す。図３は、前側部品および板状構造体４を分解して裏側から示す。図４および図５は、遊技盤１に前側部品および裏側部品を取り付ける工程を裏側から示す。図６は、パチンコ機の遊技機枠１１０に遊技盤１を取り付ける場合を前側から分解して示す。図７は、パチンコ機の遊技盤１と映写装置１３０と遊技機枠１１０との関係を示す。本明細書において、「前」、「後」、「裏」、「左」、「右」、「上」、「下」の方向は、図６の状態に遊技盤１および遊技機枠１１０を置いて矢印Ａで示す前側から見た場合に特定される方向である。「後」と「裏」とは同じ方向である。
【０００７】
図２を参照し、パチンコ機における遊技盤１の前側の構造について説明する。遊技盤１は、周辺飾り構造体２と板状構造体４とを備える。周辺飾り構造体２は、非遊技領域を形成する遮光性の有る有色な合成樹脂からなる方形な外形を有し、取付部５と丸窓６と球発射通路７と外ガイドレール８と内ガイドレール９とアウト口周縁部１０と周辺飾り部１１と戻り球防止弁１２と球反発体１３と証紙台１４および不正防止バンド１５を備える。取付部５は、遊技盤１を図６に示す遊技機枠１１０に固定するためのものであって、周辺飾り構造体２と別材質の合成樹脂からロック挿入孔１６を備える形態に形成され、周辺飾り構造体２の右側に位置する上下隅部に、周辺飾り構造体２の裏側から図外のタッピングスクリューのような止ねじで取り付けられる。
【０００８】
丸窓６と内ガイドレール９およびアウト口周縁部１０は、周辺飾り構造体２を合成樹脂で成形する場合に、周辺飾り構造体２と一緒に形成される。丸窓６は、周辺飾り構造体２の中央に、前後方向に貫通する。球発射通路７は、丸窓６の左側部に沿う縦長な形状である。外ガイドレール８は、ステンレスのような金属からなる帯板状であって、球発射通路７の左側部から丸窓６の上部弧状縁部に沿う上方に凸となる弧状となって、周辺飾り構造体２の前面から前側に突出するように、周辺飾り構造体２に取り付けられる。内ガイドレール９は、球発射通路７の右側部から丸窓６の下部弧状縁部に沿う、下方に凸となる弧状となって、周辺飾り構造体２の前面から前側に突出する。アウト口周縁部１０は、内ガイドレール９における下部弧状縁部の最下部において、アウト口１７を囲むように、内ガイドレール９から丸窓６の内側に突出した格好に連接される。アウト口１７は、球を遊技盤１の前側から裏側に排出する部分である。
【０００９】
周辺飾り部１１は、内ガイドレール９から外側に連接された意匠部である。証紙台１４は、周辺飾り構造体２と別材質の合成樹脂から形成され、周辺飾り構造体２の右側の下部に、図外の軸で、前後方向に開閉可能に取り付けられる。証紙台１４が、周辺飾り構造体２との連結部を構成する図外のヒンジ軸を中心として前方に開かれることによって、下部の取付部５が、周辺飾り構造体２の前側から見える格好となる。そして、証紙台１４が、上記軸を中心として後方に閉じられ、証紙台１４が、周辺飾り構造体２の証紙台受部１８で受け止められることによって、取付部５が、証紙台１４で覆われて周辺飾り構造体２の前側から見えなくなる。証紙台受部１８は、周辺飾り構造体２を合成樹脂で成形する場合に、周辺飾り構造体２と一緒に形成される。閉じられた証紙台１４の前面には、図外の証紙が、貼り付けられる。証紙は、遊技盤１の検査に合格して販売の認可を受けたことを証明するものである。
【００１０】
戻り球防止弁１２は、外ガイドレール８よりも厚さの薄い薄帯板状のステンレスまたは弾性体により形成される板ばねである。戻り球防止弁１２の一端部が、周辺飾り構造体２における内ガイドレール９の球発射通路７の球出口に位置する端部に取り付けられた場合、戻り球防止弁１２は、内ガイドレール９から外ガイドレール８の方向に位置する先端部に行くに従って、球発射通路７の出口から遊技領域３の側に徐々に傾斜する格好になる。戻り球防止弁１２の先端は、外ガイドレール８の遊技領域３の側に位置する内側面に接触するかまたは接触する程度に近づいていればよい。この接触する程度は、戻り球防止弁１２の先端と外ガイドレール８の内側面との間に１個の球の直径よりも小さい隙間が存在し、遊技領域３から外ガイドレール８の内側面に沿って球発射通路７の側に逆行する球が、上記戻り球防止弁１２の先端と外ガイドレール８の内側面との間に引っかかることもなく通過することもできない範囲であればよい。
【００１１】
球発射機構１２４（図６参照）から発射された球が、球発射通路７から戻り球防止弁１２を押し開けることによって、戻り球防止弁１２の先端部が、外ガイドレール８から離れるように、戻り球防止弁１２の内ガイドレール９に取り付けられた一端部を基準として、戻り球防止弁１２が、全体的に遊技領域３の側に弾性変形する。そして、戻り球防止弁１２を押し開けた球が、戻り球防止弁１２から遊技領域３の側に離れることによって、戻り球防止弁１２の先端部が、外ガイドレール８に近づくように、戻り球防止弁１２が、全体的に図２に示す形態に復元する。このように戻り球防止弁１２が、復元した形態において、球発射通路７から遊技領域３に発射された球が、遊技領域３から球発射通路７の側に逆行してきた場合、当該球が、戻り球防止弁１２に衝突し、戻り球防止弁１２が、当該球を遊技領域３から球発射通路７に取り込まれることを防止して遊技領域３に跳ね返す。
【００１２】
球反発体１３は、ゴムまたは合成樹脂からなる衝撃吸収体であって、周辺飾り部１１における丸窓６と連接される端部に、周辺飾り構造体２の裏面から取り付けられることによって、球反発体１３の先端部が丸窓６の内部に突出する。そして、球発射通路７から外ガイドレール８に沿って発射された球が、丸窓６の内部に突出した球反発体１３の先端部に衝突すると、球反発体１３が衝突した球を丸窓６で囲まれた遊技領域３の中央の方向に跳ね返す。不正防止バンド１５は、周辺飾り構造体２と別材質の合成樹脂から形成され、周辺飾り構造体２の下部に、左右方向に延長した形状に取り付けられる。そして、図６に示すパネル枠１２６が、閉じられることによって、不正防止バンド１５が、図６に示すガラスからなる前面パネル１２７の内側面（遊技盤１の側に位置する面）に接触し、遊技者が、ピアノ線や合成樹脂製薄帯板などの不正操作部材を遊技領域３よりも下方の図６に示す遊技機枠１１０の前側から遊技機枠１１０の前面構成部品間の隙間を経由して遊技領域３に挿入しようとした場合、前面パネル１２７の内側面に接触した不正防止バンド１５が、不正操作部材を受け止めて不正操作部材の遊技領域３への侵入を防止する。
【００１３】
板状構造体４は、周辺飾り構造体２の球発射通路７を除く丸窓６で囲まれる遊技領域３を形成する、無色の光透過性を有する合成樹脂からなる方形な外形を有する。板状構造体４の前面には、センター飾り２１、一般入賞部品２２、作動入賞部品２３、始動入賞部品２４、可変入賞部品２５、遊技釘２６、風車２９などの遊技部品としての前側部品が、遊技領域３に位置して、取り付けられる。一般入賞部品２２は、球を遊技領域３から取り込み、当該取り込んだ球を遊技領域３の裏側に排出する、取込形である。左右の一般入賞部品２２には、同じ符号を付したが、左の一般入賞部品２２の形と右の一般入賞部品２２の形とは、左右対称である。作動入賞部品２３は、球を遊技領域３から取り込み、当該取り込んだ球を遊技領域３の裏側に取り込むことなく、遊技領域３に排出する、通過形である。左右の作動入賞部品２３には、同じ符号を付したが、左の作動入賞部品２３の形と右の作動入賞部品２３の形とは、左右対称である。
【００１４】
始動入賞部品２４は、一対の羽根２７の下部を中心とし、一対の羽根２７を図３に示す始動駆動機構６７で左右方向に開閉する電動チューリップと呼ばれる構造である。始動入賞部品２４は、球を遊技領域３から取り込み、当該取り込んだ球を遊技領域３の裏側に排出する、取込形である。始動入賞部品２４の左右一対の羽根２７は、閉じた場合でも、球を受け入れ得る形態、受け入れない形態のいずれでも適用できる。可変入賞部品２５は、横長な長方形状の開閉体２８の下部を中心とし、開閉体２８を図３に示す可変駆動機構７７で前後方向に開閉するアタッカーまたは大入賞口と呼ばれる構造である。開閉体２８は、前側に開くと前傾姿勢となり、閉じると垂直姿勢となる。開閉体２８の開放中に取付基盤７３の上方から開閉体２８の開放によって可変入賞部品２５に開いた開口部から可変入賞部品２５に取り込まれた球は、遊技盤１の裏側に排出される。よって、可変入賞部品２５は、取込形である。風車２９は、頭付釘のような軸３０が板状構造体４の遊技領域３から内部に打ち込まれることによって、板状構造体４に、回転可能に取り付けられる。周辺飾り構造体２の下部には、アウト球逃部３１が、可変入賞部品２５の真下の位置に、周辺飾り構造体２の下端面から内部に窪むとともに前後方向に貫通する切り込みとして、設けられる。板状構造体４の一側部の上下には、逃部３２が設けられる。逃部３２は、図６に示す遊技盤１を遊技機枠１１０に取り付ける場合の台座１１９を逃げる部分である。板状構造体４の四隅部には、取付部３３が設けられる。取付部３３は、板状構造体４の前後方向への貫通孔である。そして、センター飾り２１と一般入賞部品２２と作動入賞部品２３と始動入賞部品２４と可変入賞部品２５および遊技釘２６を備えた板状構造体４が、周辺飾り構造体２の裏側から周辺飾り構造体２に重ね合わされ、図外のタッピングスクリューのような止ねじが、板状構造体４の裏側から取付部３３を経由して周辺飾り構造体２に締結されることによって、板状構造体４と周辺飾り構造体２とが互いに結合されて図６に示す形態の遊技盤１として形成される。遊技釘２６は、図２には１本だけ図示してあるが、パチンコ機に実用される遊技盤１には多数本用いられる。
【００１５】
図３を参照し、板状構造体４、センター飾り２１、右の一般入賞部品２２、右の作動入賞部品２３、始動入賞部品２４、可変入賞部品２５、遊技釘２６、右の風車２９の裏側の構造について説明する。板状構造体４の左右側部の上下方向中間には、作動入賞部品２３に対する逃部３４および取付部３５が設けられる。逃部３４は、作動入賞部品２３の配線孔６０を逃げるために板状構造体４に前後方向への貫通孔として形成された部分である。取付部３５は、作動入賞部品２３を板状構造体４に取り付けるために板状構造体４に前後方向への貫通孔として形成された部分である。板状構造体４の中央部には、センター飾り２１に対する位置決め部３６および取付部３７が設けられる。位置決め部３６は、センター飾り２１の板状構造体４への取付位置を決めるために板状構造体４に前後方向への貫通孔として形成された部分である。取付部３７は、センター飾り２１を板状構造体４に取り付けるために板状構造体４に前後方向への貫通孔として形成された部分である。板状構造体４の取付部３７より下部には、風車２９に対する取付部３８が設けられる。取付部３８は、風車２９の軸３０を板状構造体４に取り付けるために板状構造体４に前面から内部に窪む行き止まり孔として形成された部分である。板状構造体４の取付部３８より下部には、始動入賞部品２４に対する逃部３９および取付部４０が設けられる。逃部３９は、始動入賞部品２４の始動駆動機構６７と始動入賞球検出器７０ならびに球排出孔部６８を逃げるために板状構造体４に前後方向への貫通孔として形成された部分である。取付部４０は、始動入賞部品２４を板状構造体４に取り付けるために板状構造体４に前後方向への貫通孔として形成された部分である。板状構造体４の逃部３９より下部には、可変入賞部品２５に対する位置決め部４１および逃部４２が設けられる。位置決め部４１は、可変入賞部品２５の板状構造体４への取付位置を決めるために板状構造体４に前後方向への貫通孔として形成された部分である。逃部４２は、可変入賞部品２５の球振分部７４および可変駆動機構７７を逃げるために板状構造体４に前後方向への貫通孔として形成された部分である。板状構造体４の逃部３９と逃部４２との双方より左右には、一般入賞部品２２に対する逃部４３および取付部４４が設けられる。逃部４３は、一般入賞部品２２の球排出孔部５３および一般入賞球検出器５４を逃げるために板状構造体４に前後方向への貫通孔として形成された部分である。取付部４４は、一般入賞部品２２を板状構造体４に取り付けるために板状構造体４に前後方向への貫通孔として形成された部分である。逃部３２；３４は、板状構造体４の側面から内側に窪むとともに板状構造体４の前後方向に開口する切り欠きである。板状構造体４には、図２に示す多数本の遊技釘２６を取り付ける図外の取付部が、板状構造体４の前面から内部に窪む行き止まり孔として形成される。
【００１６】
センター飾り２１の裏面には、位置決め部４５および取付部４６を備える。位置決め部４５は、センター飾り２１の板状構造体４への取付位置を決めるためにセンター飾り２１の裏面から裏側に突出する突起として形成される。取付部４６は、センター飾り２１の裏面から内部に窪む行き止まり孔として形成され、センター飾り２１の前面に貫通していない。一般入賞部品２２の取付基盤５０は、逃部４３を塞ぐ大きさであって、一般入賞部品２２を板状構造体４に取り付けるための部分である。取付基盤５０の裏面は、板状構造体４における逃部４３の周囲の前面に接触して重ね合わされる。取付基盤５０の前面には、上方から取り込んだ球を取付基盤５０の裏面に誘導するポケット形の一般入賞孔部５１が、取付基盤５０の前面から前側に突出する。取付基盤５０の裏面には、取付部５２および球排出孔部５３が設けられる。取付部５２は、取付基盤５０の裏面から裏側に筒状に突出する。球排出孔部５３は、一般入賞孔部５１から取付基盤５０の裏面に誘導された球を板状構造体４の後側に排出する。球排出孔部５３より上部には、一般入賞孔部５１に入賞した球を検出して一般入賞信号を出力する一般入賞球検出器５４が設けられる。一般入賞球検出器５４の取付基盤５０から裏側に突出した後端部には、一般入賞信号を出力するための配線５５を備える。
【００１７】
作動入賞部品２３の取付基盤５７は、逃部３４を塞ぐ大きさであって、作動入賞部品２３を板状構造体４に取り付けるための部分である。取付基盤５７の裏面は、板状構造体４における逃部３４の周囲の前面に接触して重ね合わされる。取付基盤５７の前面には、取付基盤５７の前面の上方から取り込んだ球を取付基盤５７の裏側に排出することなく取付基盤５７の前面の下部に排出する門形の作動入賞孔部５８が、取付基盤５７の前面から前側に突出する。取付基盤５７の左右方向の一側部には、取付部５９が、取付基盤５７の裏面から裏側に筒状に突出する。取付基盤５７の左右方向の他側部には、配線孔６０が、取付基盤５７の前後方向に貫通する形態に設けられる。配線孔６０には、作動入賞孔部５８の内部に設けられた図外の作動入賞球検出器に作動入賞信号を出力するために接続された配線６１が通される。
【００１８】
始動入賞部品２４の取付基盤６３は、逃部３９を塞ぐ大きさであって、始動入賞部品２４を板状構造体４に取り付けるための部分である。取付基盤６３の裏面は、板状構造体４における逃部３９の周囲の前面に接触して重ね合わされる。取付基盤６３の前面には、保護枠６４および始動入賞孔部６５を備える。保護枠６４は、羽根２７に球が直撃しないように羽根２７よりも上方に位置して羽根２７を保護するものであって、取付基盤６３の前面の上方から取り込んだ球を取付基盤６３の裏側に排出することなく取付基盤６３の前面の下部に排出する門形である。始動入賞孔部６５は、羽根２７よりも下方に位置して羽根２７の間を通過した球を取付基盤６３の前面の上方から取り込んで取付基盤５０の裏面に誘導するポケット形である。取付基盤６３の裏面には、取付部６６と始動駆動機構６７および球排出孔部６８が設けられる。取付部６６は、取付基盤６３の裏面から裏側に筒状に突出する。始動駆動機構６７は、羽根２７を駆動する機構であって、裏側に配線６９を備える。始動駆動機構６７と球排出孔部６８との間には、始動入賞孔部６５に入賞した球を検出して始動入賞信号を出力する始動入賞球検出器７０が設けられる。始動入賞球検出器７０の取付基盤６３から裏側に突出した後端部には、始動入賞信号を出力するための配線７１を備える。球排出孔部６８は、始動入賞孔部６５から取付基盤６３の裏面に誘導された球を板状構造体４の後側に排出する。
【００１９】
可変入賞部品２５の取付基盤７３は、逃部４２を塞ぐ大きさであって、可変入賞部品２５を板状構造体４に取り付けるための部分である。取付基盤７３の裏面は、板状構造体４における逃部４２の周囲の前面に接触して重ね合わされる。取付基盤７３の裏面には、球振分部７４、位置決め部７５、取付部７６および可変駆動機構７７を備える。球振分部７４は、取付基盤７３の中央に位置し、取付基盤７３の裏面から裏側に箱形に突出し、図２に示す開閉体２８の開放中に取付基盤７３の上方から開閉体２８の開放によって取付基盤７３に開いた開口部から取付基盤７３の裏側に排出された球を取り込んでカウントスイッチと呼ばれる普通入賞球検出器７９とＶスイッチと呼ばれる特別入賞球検出器８１とのいずれかに振り分ける。普通入賞球検出器７９または特別入賞球検出器８１を通過した球は、板状構造体４の裏側に排出される。位置決め部７５は、可変入賞部品２５の板状構造体４への取付位置を決めるために取付基盤７３の裏面から裏側に突出する突起として形成される。取付部７６は、球振分部７４の後部から左右に突出し、止ねじ１０１を締結する取付孔７６ａを取付部７６の前後に貫通する形態に備える。可変駆動機構７７は、開閉体２８を駆動する機構であって、電磁ソレノイドのような可変駆動源と、可変駆動源におけるプランジャのような出力体と開閉体２８とを連結する連結機構と、可変駆動源に電力を供給する配線７８を備える。可変駆動機構７７は、球振分部７４の外側一側に位置し、取付基盤７３の裏面に設けられる。普通入賞球検出器７９の球振分部７４から裏側に突出した後端部には、普通入賞信号を出力するための配線８０を備える。特別入賞球検出器８１の球振分部７４から裏側に突出した後端部には、特別入賞信号を出力するための配線８２を備える。
【００２０】
遮蔽体８５は、始動入賞部品２４の板状構造体４から裏側に突出する裏突出部分である始動駆動機構６７が始動入賞部品２４の前側から板状構造体４を通して見えないように隠すものであって、遮光性の有る例えば黒色の合成樹脂により形成される。遮蔽体８５は始動入賞部品２４の取付部６６の間における取付基盤６３の上方の部分と対する大きさの外形であって、中央部に開口部８６を備える。開口部８６は、始動駆動機構６７を取り込むことによって、始動駆動機構６７の周囲を覆う形状である。遮蔽体８５の両側部には、取付部８７が遮蔽体８５の両側部から前側に突出した形状に設けられる。遮蔽体８５の両側部および取付部８７には、ねじ挿入孔８７ａが、前後方向への貫通孔として設けられる。球案内体９０は、セット板または集合樋とも呼ばれ、前方に開放された窪みを備え、板状構造体４の裏面に取り付けられることによって、板状構造体４の裏面とで、一般入賞部品２２、始動入賞部品２４、可変入賞部品２５、図２に示すアウト口１７からアウト球逃部３１を経由して板状構造体４の裏側に排出された球を下方に誘導して排出する通路を形成する裏側部品であって、下壁の中央に球を下方に排出する球排出口９１を備え、左右に一般入賞部品覆部９２を備え、裏壁の中央部に複数の窓９３；９４；９５を備え、上壁の中央に始動入賞覆部９６を備える。窓９３と窓９４との間、窓９４と窓９５との間のそれぞれに位置する裏壁は、球案内体９０を取り付ける取付部９７として形成されている。取付部９７には、ねじ挿入孔９８が、止ねじ１０１の雄ねじにより形成されたねじ部を挿入するための前後方向への貫通孔として形成される。球案内体９０が板状構造体４に取り付けられた場合、普通入賞球検出器７９および特別入賞球検出器８１が、窓９４から球案内体９０の裏側に突出し、可変入賞部品２５の可変駆動機構７７が窓９５と対向する。
【００２１】
センター飾り２１、一般入賞部品２２、作動入賞部品２３、始動入賞部品２４、遊技釘２６、風車２９は、板状構造体４に、次のように取り付けられる。センター飾り２１の位置決め部４５が板状構造体４の前側から位置決め部３６に嵌め込まれ、図外のタッピングスクリューのような止ねじが板状構造体４の裏側から取付部３７を経由してセンター飾り２１の取付部４６に締結されることによって、センター飾り２１の裏面が板状構造体４の前面に接触し、センター飾り２１が板状構造体４に取り付けられる。一般入賞部品２２の球排出孔部５３と一般入賞球検出器５４および配線５５が板状構造体４の前側から逃部４３に挿入され、一般入賞部品２２の取付部５２が板状構造体４の前側から取付部４４に挿入され、図外の固定具としてのタッピングスクリューのような止ねじが板状構造体４の裏側から取付部４４を経由して一般入賞部品２２の取付部５２に締結されることによって、一般入賞部品２２の取付基盤５０の裏面が板状構造体４の前面に接触し、一般入賞部品２２が板状構造体４に取り付けられる。作動入賞部品２３の配線６１が板状構造体４の逃部３４に挿入され、作動入賞部品２３の取付部５９が板状構造体４の前側から取付部３５に挿入され、図外の固定具としてのタッピングスクリューのような止ねじが板状構造体４の裏側から取付部４４を経由して作動入賞部品２３の取付部５９に締結されることによって、作動入賞部品２３の取付基盤５７の裏面が板状構造体４の前面に接触し、作動入賞部品２３が板状構造体４に取り付けられる。始動入賞部品２４の始動駆動機構６７と始動入賞球検出器７０および球排出孔部６８が板状構造体４の前側から逃部３９に挿入され、始動入賞部品２４の取付部６６が板状構造体４の前側から取付部４４に挿入される一方、遮蔽体８５の取付部８７が板状構造体４の裏側から取付部４４に挿入され、固定具としてのタッピングスクリューのような止ねじ１００が板状構造体４の裏側から遮蔽体８５の取付部８７における取付孔８７ａを経由して始動入賞部品２４の取付部６６に締結されることによって、始動入賞部品２４の取付基盤６３の裏面が板状構造体４の前面に接触し、遮蔽体８５の前面が板状構造体４の裏面に接触し、始動入賞部品２４および遮蔽体８５が板状構造体４に取り付けられる。遊技釘２６は、板状構造体４の前側から図外の取付孔に図外の釘打機で打ち込まれることによって、板状構造体４に取り付けられる。風車２９の軸３０が板状構造体４の前側から取付部３８に打ち込まれることによって、風車２９が板状構造体４に取り付けられる。風車２９は、球が衝突することによって、軸３０の周りに回転する。
【００２２】
図４および図５を参照し、可変入賞部品２５である前側部品と球案内体９０である裏側部品とが板状構造体４に取り付けられる場合について説明する。図４に示すように、可変入賞部品２５の球振分部７４と取付部７６および可変駆動機構７７が板状構造体４の前側から逃部４２に挿入され、可変入賞部品２５の位置決め部７５が板状構造体４の前側から位置決め部４１に挿入され、可変入賞部品２５が板状構造体４に位置決めされ、可変入賞部品２５の取付基盤７３の裏面が板状構造体４の前面に接触し、取付基盤７３が逃部４２を前側から見えないように覆い隠す。その後、図５に示すように、球案内体９０が板状構造体４の裏側に被せられる場合、可変駆動機構７７の配線７８が窓９５から球案内体９０の裏側に引き出され、普通入賞球検出器７９の配線８０および特別入賞球検出器８１の配線８２が窓９４から球案内体９０の裏側に引き出され、球案内体９０の前面１０２が板状構造体４における逃部４２の周りの裏面に接触する。そして、止ねじ１０１が球案内体９０のねじ挿入孔９８から可変入賞部品２５における取付部７６の取付孔７６ａに締結されることによって、球案内体９０が板状構造体４に取り付けられる。止ねじ１０１と取付孔７６ａとが、可変入賞部品２５の取付部７６と球案内体９０の取付部９７とを互いに結合する固定具を構成する。
【００２３】
最良の形態によれば、図１に示すように、前側部品である可変入賞部品２５が位置決め部７５と位置決め部４１との嵌め合いによって板状構造体４に位置決めされ、球案内体９０が止ねじ１０１の取付部７６への締結によって上記板状構造体４に位置決めされた可変入賞部品２５に固定されているので、可変入賞部品２５と球案内体９０とが光透過性を有する合成樹脂からなる板状構造体４を前後方向から挟み付け、遊技盤１の前面に配置される前側部品である可変入賞部品２５と遊技盤１の裏面に配置される裏側部品である球案内体９０との相互間での取付位置が正確になるという利点がある。しかも、可変入賞部品２５と球案内体９０との２つの部品が止ねじ１０１で互いに結合されるので、可変入賞部品２５と球案内体９０との２つの部品を別々の止ねじで板状構造体４に取り付けるよりも、止ねじ１０１の使用本数を減らし、止ねじ１０１によるねじの締結作業を減らすことができるという利点がある。
【００２４】
図６を参照し、遊技盤１を用いたパチンコ機について説明する。映写装置１３０のスクリーン１３４が遊技機枠１１０における可動枠１１１の裏側からの中央開口部１１２に収納され、スクリーン１３４の前面が遊技機枠１１０における盤収容室１１３の裏壁の前面と同一面内に位置される。そして、映写装置１３０が遊技機枠１１０における盤収容構造体１１４の裏壁の裏面に取り付けられることによって、映写装置１３０が可動枠１１１に取り付けられる。また、遊技盤１の遊技領域３が前側に向けられ、遊技盤１が遊技機枠１１０の前側から盤収容室１１３に挿入され、遊技盤１の下部が遊技機枠１１０における盤棚１１５の上に載せられ、遊技盤１の左側部が遊技機枠１１０の盤受止部１１６および盤押圧部１１７で前後方向から挟まれた後、遊技盤１の右側部が後側に押され、遊技機枠１１０における盤ロック機構１１８のロック操作体１２０が遊技盤１の取付部５のロック挿入孔１６に後側から挿入されて前側に突出した状態において、作業者がロック操作体１２０を例えば右方向に９０度回転操作すると、ロック挿入孔１６の周りにおける取付部５の裏面が盤ロック機構１１８の台座１１９の前面と接触し、ロック操作体１２０の裏面がロック挿入孔１６の周りにおける取付部５の前面と接触し、遊技盤１が可動枠１１１に取り付けられる。遊技盤１が可動枠１１１に取り付けられた場合、一般入賞部品２２と始動入賞部品２４および可変入賞部品２５は、映写装置１３０におけるスクリーン１３４よりも下部に位置する前壁１３８と対向する。遊技盤１が取り付けられた後、可動枠１１１が閉じられるとともに、遊技機枠１１０における前面の球皿構造体１２１が閉じられる。
【００２５】
その状態において、球が球皿構造体１２１の球収納部１２２に入れられた状態において、遊技者が遊技機枠１１０の前面の球発射操作機構１２３を操作すると、遊技機枠１１０の球発射機構１２４が球収納部１２２から供給された球を１個ずつ球発射操作機構１２３の操作量に応じた発射力で遊技盤１の遊技領域３に発射する。遊技領域３に発射された球は、センター飾り２１や遊技釘２６または風車２９で流れを変えられるとともに、一般入賞部品２２と作動入賞部品２３および始動入賞部品２４のいずれかに入賞する。一般入賞部品２２への球の入賞により、図３の一般入賞球検出器５４が一般入賞信号を図外の制御装置に出力し、作動入賞部品２３への球の入賞により、図外の作動入賞球検出器が作動入賞信号を上記制御装置に出力し、始動入賞部品２４への球の入賞により、図３の始動入賞球検出器７０が始動入賞信号を上記制御装置に出力する。
【００２６】
制御装置は、作動入賞信号の入力により普通図柄遊技に対する当たり外れの抽選を行うとともに普通図柄遊技を表示するように映写装置１３０を制御する。映写装置１３０は、制御装置からの制御開始に伴い、スクリーン１３４に複数の普通図柄を可変表示した後に、普通図柄遊技に対する当たり外れの抽選を反映した普通図柄をスクリーン１３４に停止表示する。普通図柄遊技に対する当たり外れの抽選が外れの場合、外れとして制御装置に設定された単独の普通図柄または複数の普通図柄の組み合わせがスクリーン１３４に停止表示され、制御装置による上記１回の作動入賞信号の入力に伴う制御を終わる。普通図柄遊技に対する当たり外れの抽選が当たりの場合、当たりとして制御装置に設定された単独の普通図柄または複数の普通図柄の組み合わせがスクリーン１３４に停止表示された後、制御装置が図３の始動駆動機構６７を駆動し、始動入賞部品２４における図３の羽根２７が開閉され、制御装置による上記１回の作動入賞信号の入力に伴う制御を終わる。
【００２７】
制御装置は、始動入賞信号の入力により特別図柄遊技に対する当たり外れの抽選を行うとともに特別図柄遊技を表示するように映写装置１３０を制御する。映写装置１３０は、制御装置からの制御開始に伴い、スクリーン１３４に複数の特別図柄を可変表示した後に、特別図柄遊技に対する当たり外れの抽選を反映した特別図柄をスクリーン１３４に停止表示する。特別図柄遊技に対する当たり外れの抽選が外れの場合、外れとして制御装置に設定された単独の特別図柄または複数の特別図柄の組み合わせがスクリーン１３４に停止表示され、制御装置による上記１回の始動入賞信号の入力に伴う制御を終わる。特別図柄遊技に対する当たり外れの抽選が当たりの場合、当たりとして制御装置に設定された単独の特別図柄または複数の特別図柄の組み合わせがスクリーン１３４に停止表示された後、制御装置が図３の可変駆動機構７７を駆動し、可変入賞部品２５の開閉体２８が開閉され、制御装置による上記１回の作動入賞信号の入力に伴う制御を終わる。この開閉体２８の開放中において、遊技領域３から球が可変入賞部品２５に入賞する。可変入賞部品２５への球の入賞により、図３の普通入賞球検出器７９が普通入賞信号を前記制御装置に出力し、図３の特別入賞球検出器８０が特別入賞信号を前記制御装置に出力する。
【００２８】
前記普通図柄や特別図柄は、スクリーン１３４におけるセンター飾り２１、一般入賞部品２２、作動入賞部品２３、始動入賞部品２４、遊技釘２６、風車２９で覆われる以外の部分に表示される。前記一般入賞部品２２、作動入賞部品２３、始動入賞部品２４、可変入賞部品２５などの部品への球の入賞に伴い、一般入賞信号、作動入賞信号、始動入賞信号、普通入賞信号が制御装置に入力されるごとに、制御装置が遊技機枠１１０の裏側に設けられた払出機構１２５を制御する。これによって、払出機構１２５が、遊技機枠１１０の裏側のタンク１２８から遊技機枠１１０の前側の球収納部１２２に、上記各入賞の結果たる賞球としての球を払い出す。
【００２９】
図７を参照し、遊技盤１および映写装置１３０が遊技機枠１１０に組み込まれたパチンコ機について説明する。映写装置１３０は、遮光性合成樹脂からなる前側に開放した箱形の装置筐体１３１に、投影機１３２、反射鏡１３３、スクリーン１３４を組み付けた、ユニットと呼ばれる単一構造体として形成される。投影機１３２の液晶表示器１３７が電気的に画像を表示し、投影機１３２のＬＥＤのような投影光源１３６が電気的に光を画像の表示されている液晶表示器１３７に照射し、その投影光Ｌが投影機１３２の投影レンズ１３５で拡大され、その拡大された投影光Ｌが反射鏡１３３で前側に反射してスクリーン１３４の全域に上記液晶表示器１３７で表示された画像を拡大して映写し、遊技機枠１１０の前側から遊技者がスクリーン１３４に映し出された画像を遊技機枠１１０の閉じられたパネル枠１２６の前面パネル１２７と遊技盤１の丸窓６および光透過性を有する合成樹脂からなる板状構造体４を通して見ることをできる。これによって、遊技者は、スクリーン１３４に映し出された画像を遊技領域３の全域に見ながら遊技領域３に行き交う球の動きを見ることができる。
【００３０】
図６および図７で示したように、スクリーン１３４に映し出された画像が遊技機枠１１０の前側から前面パネル１２７と遊技盤１の丸窓６および光透過性を有する合成樹脂からなる板状構造体４を通して見る構造のパチンコ機において、図１に示すように、可変入賞部品２５が位置決め部７５と位置決め部４１との嵌め合いによって板状構造体４に位置決めされているので、位置決め部４１に嵌め合わされる位置決め部が球案内体９０に設けられ、この位置決め部と位置決め部４１との嵌め合いによって球案内体９０が板状構造体４に位置決めされる場合に比べ、可変入賞部品２５の遊技領域３に対する位置が正確となる。また、始動入賞部品４が取付部６６と取付部４０との嵌め合いによって板状構造体４に位置決めされている。よって、最良の形態が、遊技盤１の裏側で表示された画像を遊技盤１の前側から遊技盤１を通して見えるようにした構造のパチンコ機に適用された場合、始動入賞部品４や可変入賞部品２５の遊技領域３に対する位置が正確となり、始動入賞部品４や可変入賞部品２５に対する球の入賞率が良好となるという利点がある。
【産業上の利用可能性】
【００３１】
図８は、異なる第１形態に係る、前側部品として可変入賞部品２５を例とし、裏側部品として球案内体９０を例とし、可変入賞部品２５および球案内体９０が板状構造体４に取り付けられた構造の断面を示す。図８において、可変入賞部品２５の取付部７６には、固定具としての雄ねじ部１４０が、取付部７６から裏側に直線的に突出して設けられる。雄ねじ部１４０の外径は、取付部７６の外径よりも細い。雄ねじ部１４０は、止ねじまたはねじ棒など丸棒の外周面に雄ねじを形成した部材が取付部７６に一体に設けられることによって形成される。球案内体９０のねじ挿入孔９８が雄ねじ部１４０を挿入する孔として設けられる。図３乃至図５に示す止ねじ１０１に相当する固定具としてのナット１４１が用いられる。雄ねじ部１４０とナット１４１とが、可変入賞部品２５の取付部７６と球案内体９０の取付部９７とを互いに結合する固定具を構成する。
【００３２】
可変入賞部品２５および球案内体９０が板状構造体４に取り付けられる場合、可変入賞部品２５の球振分部７４と取付部７６および可変駆動機構７７が板状構造体４の前側から逃部４２に挿入され、可変入賞部品２５の位置決め部７５が板状構造体４の前側から位置決め部４１に挿入され、可変入賞部品２５が板状構造体４に位置決めされ、可変入賞部品２５の取付基盤７３の裏面が板状構造体４の前面に接触し、取付基盤７３が逃部４２を前側から見えないように覆い隠すと、雄ねじ部１４０が逃部４２から板状構造体４の裏側に突出している。そして、球案内体９０が板状構造体４の裏側に被せられる場合、可変駆動機構７７の配線７８が窓９５から球案内体９０の裏側に引き出され、普通入賞球検出器７９の配線８０および特別入賞球検出器８１の配線８２が窓９４から球案内体９０の裏側に引き出され、ねじ挿入孔９８が雄ねじ部１４０における板状構造体４の裏側に突出した後端部に挿入され、球案内体９０の前面１０２が板状構造体４における逃部４２の周りの裏面に接触する。そして、ナット１４１が球案内体９０の裏側に突出した雄ねじ部１４０に締結されることによって、ナット１４１と取付部７６とが板状構造体４における取付部９７を前後方向から挟み、可変入賞部品２５および球案内体９０が板状構造体４に取り付けられる。
【００３３】
図９および図１０は、異なる第２形態である。図９は、前側部品として可変入賞部品２５を例とし、裏側部品として球案内体９０を例とし、前側部品と板状構造体４と裏側部品とによる相互間での取付構造を分解して示す。図１０は、可変入賞部品２５および球案内体９０が板状構造体４に取り付けられた構造の断面を示す。図９において、可変入賞部品２５では、図３や図４に示す取付部７６が除去され、位置決め部７５の取付基盤７３から裏側への突出量である高さが高く形成され、位置決め部７５に取付孔１４２が位置決め部７５の裏面から内部への窪みとして設けられる。球案内体９０では、図３や図４に示す取付部９７およびねじ挿入孔９８の位置が窓９３よりも右側および窓９５よりも左側に変更されて設けられる。上記位置決め部７５の高さは、位置決め部７５が板状構造体４の前側から位置決め部４１に挿入された場合、位置決め部７５の後端部が板状構造体４の裏側に突出して球案内体９０における取付部９７の前面に接触するかまたは接触する程度に近づくような、寸法に設定される。
【００３４】
可変入賞部品２５および球案内体９０が板状構造体４に取り付けられる場合、可変入賞部品２５の球振分部７４および可変駆動機構７７が板状構造体４の前側から逃部４２に挿入され、可変入賞部品２５の位置決め部７５が板状構造体４の前側から位置決め部４１に挿入され、可変入賞部品２５が板状構造体４に位置決めされ、可変入賞部品２５の取付基盤７３の裏面が板状構造体４の前面に接触し、取付基盤７３が逃部４２を前側から見えないように覆い隠すと、取付孔１４２が逃部４２から板状構造体４の裏側に突出している。そして、球案内体９０が板状構造体４の裏側に被せられる場合、可変駆動機構７７の配線７８が窓９５から球案内体９０の裏側に引き出され、普通入賞球検出器７９の配線８０および特別入賞球検出器８１の配線８２が窓９４から球案内体９０の裏側に引き出され、板状構造体４の裏側に突出した取付孔１４２が球案内体９０のねじ挿入孔９８と対向し、球案内体９０の前面１０２が板状構造体４における逃部４２の周りの裏面に接触する。そして、図１０に示すように、止ねじ１０１が球案内体９０の裏側からねじ挿入孔９８を経由して取付孔１４２に締結されることによって、止ねじ１０１と位置決め部７５とが板状構造体４の取付部９７を前後方向から挟み、可変入賞部品２５および球案内体９０が板状構造体４に取り付けられる。
【００３５】
図１１は、異なる第３形態に係る、前側部品として可変入賞部品２５を例とし、裏側部品として球案内体９０を例とし、可変入賞部品２５および球案内体９０が板状構造体４に取り付けられた構造の断面を示す。図１１において、可変入賞部品２５では、位置決め部７５の高さを図１に類似するように遊技盤１の厚さよりも小さく形成し、位置決め部７５に取付孔１４２を位置決め部７５の裏面から内部への窪みとして設ける。球案内体９０では、位置決め部１４３および窪み１４４が取付部９７に設けられる。位置決め部１４３は、可変入賞部品２５の板状構造体４への取付位置を決めるために取付部９７の前面から前側に突出する突起として形成される。位置決め部１４３の前部には、ねじ挿入孔９８が設けられる。
【００３６】
可変入賞部品２５および球案内体９０が板状構造体４に取り付けられる場合、可変入賞部品２５の球振分部７４および可変駆動機構７７が板状構造体４の前側から逃部４２に挿入され、可変入賞部品２５の位置決め部７５および取付孔１４２が板状構造体４の前側から位置決め部４１に挿入され、可変入賞部品２５が板状構造体４に位置決めされ、可変入賞部品２５の取付基盤７３の裏面が板状構造体４の前面に接触し、取付基盤７３が逃部４２を前側から見えないように覆い隠す。そして、球案内体９０が板状構造体４の裏側に被せられる場合、可変駆動機構７７の配線７８が窓９５から球案内体９０の裏側に引き出され、普通入賞球検出器７９の配線８０および特別入賞球検出器８１の配線８２が窓９４から球案内体９０の裏側に引き出され、位置決め部１４３が板状構造体４の位置決め部４１に挿入され、球案内体９０が板状構造体４に位置決めされ、球案内体９０の前面１０２が板状構造体４における逃部４２の周りの裏面に接触する。そして、止ねじ１０１が球案内体９０の裏側から窪み１４４およびねじ挿入孔９８を経由して取付孔１４２に締結されることによって、止ねじ１０１と位置決め部７５とが板状構造体４の位置決め部１４３を前後方向から挟み、可変入賞部品２５および球案内体９０が板状構造体４に取り付けられる。
【００３７】
図１２は、異なる第４形態に係る、前側部品として可変入賞部品２５を例とし、裏側部品として球案内体９０を例とし、可変入賞部品２５および球案内体９０が板状構造体４に取り付けられた構造の断面を示す。可変入賞部品２５の位置決め部７５には、雄ねじ部１４０が、位置決め部７５から裏側に直線的に突出して設けられる。雄ねじ部１４０の外径は、位置決め部７５の外径よりも細い。雄ねじ部１４０は、止ねじまたはねじ棒など丸棒の外周面に雄ねじを形成した部材が位置決め部７５に一体に設けられることによって形成される。球案内体９０のねじ挿入孔９８が雄ねじ部１４０を挿入する孔として設けられる。図３乃至図５に示す止ねじ１０１に相当するナット１４１が用いられる。
【００３８】
可変入賞部品２５および球案内体９０が板状構造体４に取り付けられる場合、可変入賞部品２５の球振分部７４および可変駆動機構７７が板状構造体４の前側から逃部４２に挿入され、可変入賞部品２５の位置決め部７５および雄ねじ部１４０が板状構造体４の前側から位置決め部４１に挿入され、可変入賞部品２５が板状構造体４に位置決めされ、可変入賞部品２５の取付基盤７３の裏面が板状構造体４の前面に接触し、取付基盤７３が逃部４２を前側から見えないように覆い隠すと、雄ねじ部１４０が位置決め部４１から板状構造体４の裏側に突出している。そして、球案内体９０が板状構造体４の裏側に被せられる場合、可変駆動機構７７の配線７８が窓９５から球案内体９０の裏側に引き出され、普通入賞球検出器７９の配線８０および特別入賞球検出器８１の配線８２が窓９４から球案内体９０の裏側に引き出され、ねじ挿入孔９８が雄ねじ部１４０における板状構造体４の裏側に突出した後端部に挿入され、球案内体９０の前面１０２が板状構造体４における逃部４２の周りの裏面に接触する。そして、ナット１４１が球案内体９０の裏側に突出した雄ねじ部１４０に締結されることによって、ナット１４１と位置決め部７５とが板状構造体４の取付部９７を前後方向から挟み、可変入賞部品２５および球案内体９０が板状構造体４に取り付けられる。
【００３９】
図１３および図１４は、異なる第５形態である。図１３のａ図は、前側部品と裏側部品とを互いに結合するための固定具１５０を分解して示す。図１３のｂ図は、固定具１５０を裏側部品としての球案内体９０に取り付けた断面を示す。図１４のａ図は、固定具１５０を前側部品としての可変入賞部品２５に挿入した断面を示す。図１４のｂ図は、固定具で可変入賞部品２５と球案内体９０が互いに結合された断面を示す。図１３のａ図において、固定具１５０は、係合具１５１と操作具１５２とを備える。係合具１５１および操作具１５２は、互いに別々に形成される。係合具１５１は、前後方向に貫通する中心孔１５３を有する円筒本体１５４の一端部に受止部１５５を備え、円筒本体１５４の他端部に掛止部１５６を備える。受止部１５５は円筒本体１５４の一端部より軸心方向の一方の外側に開口する皿状である。受止部１５５と掛止部１５６との間における円筒本体１５４の外周面は、受止部１５５の外径と掛止部１５６の外径との双方よりも細い、くびれ部１５７として形成される。掛止部１５６は、割溝１５８によって、周方向に独立した複数の片持ち梁のような弾性片として形成される。割溝１５８は、掛止部１５６の他端部とくびれ部１５７との間を、軸心方向と直径方向とに切り欠かれる。掛止部１５６を構成する各弾性片の中心孔１５３を囲む内面には、突起１５９が、軸心方向に向けて突出する。
【００４０】
操作具１５２は、棒本体１６０の一端部に鍔１６１とくびれ部１６２と摘み１６３とを備え、棒本体１６０の他端部に係合溝１６４を備える。棒本体１６０は、受止部１５５の方向から中心孔１５３に挿入されるとともに、中心孔１５３に挿入された場合に突起１５９を中心孔１５３の径方向外側に押して掛止部１５６を押し広げる、太さである。鍔１６１は、棒本体１６０の外径よりも大きな外径であって、受止部１５５における周壁で囲まれた内部に取り込まれる大きさである。くびれ部１６２は、鍔１６１から同軸状に突出し、鍔１６１と摘み１６３との双方よりも細い。摘み１６３は、摘み１６３から同軸状に突出し、くびれ部１６２と鍔１６１との双方よりも太い円盤形状である。
【００４１】
図１３のｂ図において、球案内体９０の取付部９７には、取付孔１６６が形成される。そして、係合具１５１のくびれ部１５７が、球案内体９０の裏側から取付孔１６６に嵌め込まれることによって、受止部１５５と掛止部１５６とが、取付部９７を前後方向から挟む格好となり、係合具１５１が、球案内体９０に取り付けられ、掛止部１５６が球案内体９０の裏面から裏側に突出する。そして、操作具１５２の棒本体１６０が、係合具１５１の受止部１５５の方向から中心孔１５３に挿入されることによって、係合溝１６４が、突起１５９に嵌め込まれた格好となり、操作具１５２が、係合具１５１に取り付けられる。これによって、固定具１５０が球案内体９０に取り付けられる。
【００４２】
図１４のａ図において、可変入賞部品２５の位置決め部７５に設けられた取付部１６７は、位置決め部７５の裏面から内部に窪む行き止まり孔として形成される。そして、球案内体９０に取り付けられた固定具１５０の球案内体９０より前側に突出した先端部としての係合具１５１における掛止部１５６が、可変入賞部品２５における取付部１６７の内部に挿入され、係合具１５１の周囲における取付部９７の前面が取付部１６７の周囲における位置決め部７５の裏面に接触される。
【００４３】
次に、図１４のｂ図に示すように、人が、操作具１５２の摘み１６３を矢印Ｘ１で示す前側に押すことによって、上記突起１５９と係合溝１６４との嵌まり合いが解除され、棒本体１６０が中心孔１５３の内部を奥に進入する。これに伴い、棒本体１６０の外周面が、突起１５９を中心孔１５３の径方向外側に押して、掛止部１５６を押し広げる。この中心孔１５３の径方向外側に押し広げられた掛止部１５６が、取付部１６７を径方向外側に突っ張るように、取付部１６７に接触する。これによって、固定具１５０が取付部１６７に押し込まれた形態となり、可変入賞部品２５および球案内体９０が板状構造体４に固定具１５０で取り付けられる。
【００４４】
このように可変入賞部品２５および球案内体９０が板状構造体４に固定具１５０で取り付けられた状態において、人が、操作具１５２の摘み１６３を矢印Ｘ２で示す裏側に引くことによって、棒本体１６０が中心孔１５３の奥から裏側に後退する。これに伴い、上記棒本体１６０の外周面による突起１５９に対する中心孔１５３の径方向外側への押し力が弱くなり、掛止部１５６が自身の弾性によって径方向内側に復帰し、突起１５９が係合溝１６４に嵌まり込み、掛止部１５６が取付部１６７から離れ、図１４のａ図の状態になる。これによって、固定具１５０と取付部１６７との係合が解除された形態となり、人が可変入賞部品２５を支持して板状構造体４から前側に離れる方向に移動し、人が球案内体９０を支持して板状構造体４から裏側に離れる方向に移動することによって、可変入賞部品２５および球案内体９０が板状構造体４から取り外される。
【００４５】
板状構造体４に画像を映し出す映写装置１３０を液晶表示器のような電気的に表示形態の変えられる画像を表示画面に表示する画像表示器で置換してもよい。板状構造体４は、遮光性を有する合成樹脂または合板のような木材で構成されてもよい。取付部５と丸窓６と球発射通路７と外ガイドレール８と内ガイドレール９とアウト口周縁部１０と周辺飾り部１１と戻り球防止弁１２と球反発体１３と証紙台１４および不正防止バンド１５を備えた周辺飾り構造体２に代えて、丸窓６を囲む周辺飾り構造体、外ガイドレール、内ガイドレール、アウト口周縁部、戻り球防止弁１２、球反発体１３、証紙台１４、不正防止バンド１５のそれぞれを個別に形成し、これら個別に形成された個々の部品を板状構造体４の前面に取り付けてもよい。
【図面の簡単な説明】
【００４６】
【図１】遊技盤の前側部品と裏側部品との取付構造を示す断面図（最良の形態）。
【図２】周辺飾り構造体と板状構造体とを示す分解斜視図（最良の形態）。
【図３】前側部品と板状構造体および裏側部品を示す分解斜視図（最良の形態）。
【図４】遊技盤への前側部品や裏側部品の取付工程を示す斜視図（最良の形態）。
【図５】遊技盤への前側部品や裏側部品の取付工程を示す斜視図（最良の形態）。
【図６】遊技機枠と遊技盤とを示す分解斜視図（最良の形態）。
【図７】遊技盤と映写装置と遊技機枠との関係を示す模式図（最良の形態）。
【図８】可変入賞部品および球案内体の板状構造体への取付構造を示す断面図（異なる第１形態）。
【図９】可変入賞部品と板状構造体および球案内体を示す分解斜視図（異なる第２形態）。
【図１０】可変入賞部品および球案内体の板状構造体への取付構造を示す断面図（異なる第２形態）。
【図１１】可変入賞部品および球案内体の板状構造体への取付構造を示す断面図（異なる第３形態）。
【図１２】可変入賞部品および球案内体の板状構造体への取付構造を示す断面図（異なる第４形態）。
【図１３】固定具を示す分解斜視図（異なる第５形態）。
【図１４】可変入賞部品および球案内体の板状構造体への取付構造を示す断面図（異なる第５形態）。
【符号の説明】
【００４７】
１  遊技盤、４  板状構造体、２５  可変入賞部品、４１  位置決め部、４２  逃部、
７３  取付基盤、７５  位置決め部、７６  取付部、９０  球案内体、
９８  ねじ挿入孔、１０１  止ねじ（固定具）、１４０  雄ねじ部、
１４１  ナット（固定具）、１４２  取付部、１４３  位置決め部、
１５０  固定具。
【図１】
2005329231.tif 000003
【図２】
2005329231.tif 000004
【図３】
2005329231.tif 000005
【図４】
2005329231.tif 000006
【図５】
2005329231.tif 000007
【図６】
2005329231.tif 000008
【図７】
2005329231.tif 000009
【図８】
2005329231.tif 000010
【図９】
2005329231.tif 000011
【図１０】
2005329231.tif 000012
【図１１】
2005329231.tif 000013
【図１２】
2005329231.tif 000014
【図１３】
2005329231.tif 000015
【図１４】
2005329231.tif 000016